(57)【要約】【課題】  ダンパベースの支持部中の接着剤の強度の劣化を防止すること。【解決手段】  光ピックアップアクチュエータ（５０）は、対物レンズ（３１）を保持し、少なくともトラッキングコイル、フォーカシングコイルを取り付けた対物レンズホルダ（５１）と、対物レンズホルダを複数本のサスペンションワイヤ（５２）を介して揺動可能に支持するダンパベース（５３）とを備える。ダンパベース（５３）は、複数本のサスペンションワイヤの一端を接着剤で支持する支持部（５３２）を含む。支持部側に、複数本のサスペンションワイヤの一端と電気的に接続されたＡＣＴフレキシブルプリント配線基板（５５）を有する。板厚０．５ｍｍの補強板（５４）は、ＡＣＴフレキシブルプリント配線基板（５５）と支持部（５３２）との間に介在して、ＡＣＴフレキシブルプリント配線基板（５５）と支持部（５３２）との間に間隙を設定する。【選択図】      図５
2008090920.tif 000002
【特許請求の範囲】
【請求項１】
対物レンズを保持し、少なくともトラッキングコイル、フォーカシングコイルを取り付けた対物レンズホルダと、該対物レンズホルダを複数本のサスペンションワイヤを介して揺動可能に支持するダンパベースとを備えた光ピックアップアクチュエータであって、前記ダンパベースは、前記複数本のサスペンションワイヤの一端を接着剤で支持する支持部を含み、前記支持部側に、前記複数本のサスペンションワイヤの一端と電気的に接続されたＡＣＴフレキシブルプリント配線基板を有する、光ピックアップアクチュエータにおいて、
前記ＡＣＴフレキシブルプリント配線基板と前記支持部との間に間隙を設定する間隙設定手段を有することを特徴とする光ピックアップアクチュエータ。
【請求項２】
前記間隙設定手段は、前記ＡＣＴフレキシブルプリント配線基板と前記支持部との間に介在する補強板から構成されている、請求項１に記載の光ピックアップアクチュエータ。
【請求項３】
前記補強板の板厚が、０．３ｍｍ〜０．７ｍｍの範囲にある、請求項２に記載の光ピックアップアクチュエータ。
【請求項４】
前記補強板の板厚が０．５ｍｍである、請求項３に記載の光ピックアップアクチュエータ。
【請求項５】
請求項１乃至４の内のいずれかに記載の光ピックアップアクチュエータを備えていることを特徴とする光ピックアップ。
【請求項６】
前記光ピックアップが、互いに波長の異なる３種類のレーザビームを使い分けて３種類の光ディスクに対する記録・再生を行うことが可能な３波長対応光ピックアップから成る、請求項５に記載の光ピックアップ。
【発明の詳細な説明】
【技術分野】
【０００１】
本発明は、光ピックアップに関し、特に、光ピックアップに用いられる光ピックアップアクチュエータに関する。
【背景技術】
【０００２】
光ディスクドライブは、光ディスク（ＣＤ、ＣＤ−ＲＯＭ、ＣＤ−Ｒ／ＲＷ、ＤＶＤ−ＲＯＭ、ＤＶＤ±Ｒ／ＲＷ、Ｂｌｕ−ｒａｙディスク、ＨＤ−ＤＶＤ等）に記録された情報を読み出したり、あるいは情報を書き込んだりするための装置である。この種の光ディスクドライブは、光ディスクからの情報の読み出し、あるいは光ディスクへの情報の書き込みを実現するため、光ディスクに対してレーザビームを照射し、またその反射光を検出するための光ピックアップを備えている。
【０００３】
一方、周知のように、ＤＶＤ装置においては、ディジタル・ヴァーサタイル・ディスク（ＤＶＤ）とコンパクト・ディスク（ＣＤ）とのいずれに対しても記録・再生可能にするために特別の光ピックアップを備えた光ディスクドライブを搭載したものが存在している。そのような特別の光ピックアップは、ＤＶＤ用の短波長レーザ光（波長約６５０ｎｍ）とＣＤ用の長波長レーザ光（波長約７８０ｎｍ）との２種類のレーザビームを使い分けて記録・再生を行うものであり、「２波長対応光ピックアップ」と呼ばれている。
【０００４】
この種の２波長対応光ピックアップの一種として、ＤＶＤ用の短波長レーザ光（第１のレーザ光）を出射するためのＤＶＤ用の第１のレーザダイオードと、ＣＤ用の長波長レーザ光（第２のレーザ光）を出射するためのＣＤ用の第２のレーザダイオードとを備えたものがある（例えば、特許文献１参照）。
【０００５】
しかしながら、第１のレーザダイオードと第２のレーザダイオードとを別々の部品として構成すると、部品点数が多く大型化してしまうという不都合がある。このような問題に対処するために、第１のレーザダイオードと第２のレーザダイオードとを１部品（１チップ）で構成したもの（以下、「１チップ型レーザダイオード」と呼ぶ。）が開発され提案されている（例えば、特許文献２参照）。このような１チップ型レーザダイオードは、小型化が可能である。この１チップ型レーザダイオードは、第１のレーザ光を出射する第１の発光点と第２のレーザ光を出射する第２の発光点とは所定距離（例えば、１００μｍ）だけ離れているので、第１のレーザビームと第２のレーザビームとは互いに所定距離だけ離間して平行に出射されることになる。
【０００６】
さらに、最近のＤＶＤ装置においては、ＤＶＤやＣＤばかりでなくＨＤ−ＤＶＤ（High Definition ＤＶＤ）に対しても記録・再生可能にするために特殊な光ピックアップを備えた光ディスクドライブを搭載したものも開発されている。そのような特殊な光ピックアップは、ＤＶＤ用の中波長レーザ光（波長約６５０ｎｍ）とＣＤ用の長波長レーザ光（波長約７８０ｎｍ）とＨＤ−ＤＶＤ用の短波長レーザ光（波長約４１０ｎｍ）との３種類のレーザ光を使い分けて記録・再生を行うものであり、「３波長対応光ピックアップ」と呼ばれている。
【０００７】
このような３波長対応光ピックアップとして、上記特許文献２に開示されているような、ＣＤ及びＤＶＤ用の１チップ型レーザダイオード（２波長１パッケージレーザダイオード）と、ＨＤ−ＤＶＤ用の青色レーザダイオードとを使用することができる。尚、以下ではＨＤ−ＤＶＤを単にＨＤとも略称する。
【０００８】
一般に、光ピックアップは、レーザビームを出射するレーザ光源と、この出射されたレーザビームを光ディスクへ導くとともに、その反射光を光検出器へ導く光学系とを備えている。そして、この光学系には、光ディスクに対向するように配置される対物レンズが含まれている。レーザ光源および光検出器は、光学ベースの外側壁に取り付けられ、対物レンズを除く光学系は光学ベース内に取り付けられる。
【０００９】
光ピックアップに用いられる対物レンズは、回転駆動される光ディスクの記録面（トラック）に正確にレーザ光を集光するように、光軸に沿ったフォーカス方向及び光ディスクの半径方向に沿ったトラック方向に関して精度良く位置制御される必要がある。また、最近は、記録密度の向上に伴い、光ディスクの反りによる影響を除去又は抑制する必要性が高まっており、対物レンズは、チルティング制御される必要もある。
【００１０】
上記光ピックアップアクチュエータは、フォーカシング制御、トラッキング制御及びチルティング制御を可能にするための装置であり、対物レンズ駆動装置とも呼ばれる。対物レンズ駆動装置は、対物レンズを保持する対物レンズホルダを、複数本のサスペンションワイヤによってダンパベースで弾性支持している（例えば、特許文献３参照）。
【００１１】
ところで、光ピックアップアクチュエータは、「対称構造のもの」と「非対称構造のもの」とに分類される。ここで、対称構造の光ピックアップアクチュエータとは、対物レンズを中心としてコイルやマグネットを含む磁気回路が対称に配置されるものをいう。一方、非対称構造の光ピックアップアクチュエータとは、対物レンズに対してコイルやマグネットを含む磁気回路が非対称に配置されるものをいう。
【００１２】
対称構造の光ピックアップアクチュエータでは、対物レンズホルダに１つのフォーカシングコイルを巻回し、対物レンズホルダの側面にトラッキングコイル及びチルティングコイルを貼り付け、これらのコイルを磁気回路のギャップ内に部分的に位置させている。このような構成において、各コイルに流れる電流を制御することで、対称構造の光ピックアップアクチュエータは、対物レンズの位置及び傾きを微調整することができる（例えば、特許文献４参照）。尚、トラッキングコイル及びチルティングコイルは、対物レンズホルダの側面に貼り付ける必要上、空芯コイルで構成されている。
【００１３】
対称構造の光ピックアップアクチュエータにおいては、複数本のサスペンションワイヤは、非駆動状態において水平になるように設けられている。詳述すると、光ピックアップアクチュエータは、対物レンズを保持する対物レンズホルダを含む可動部分とダンパベースを含む固定部分とに分けられる。可動部分は複数本のサスペンションワイヤによってダンパベースで支持される。複数本のサスペンションワイヤは、ダンパベースと対物レンズホルダとの間で水平面と平行になるように設けられている。
【００１４】
また、光ピックアップアクチュエータにおいて、ダンパベースは、複数本のサスペンションワイヤの一端を接着剤で支持する支持部を含む。そして、光ピックアップアクチュエータは、この支持部側で、複数本のサスペンションワイヤの一端と電気的に接続されたＡＣＴフレキシブルプリント配線基板を有する。従来の光ピックアップアクチュエータでは、このＡＣＴフレキシブルプリント配線基板が、直接、ダンパベースの支持部に取り付けられている（例えば、特許文献５参照）。
【００１５】
【特許文献１】特開２００３−１７３５６３号公報
【特許文献２】特開平１１−１４９６５２号公報
【特許文献３】特開２００３−１９６８６５号公報
【特許文献４】特開２００１−９３１７７号公報
【特許文献５】特開２００６−１８８８７号公報（図１）
【発明の開示】
【発明が解決しようとする課題】
【００１６】
特許文献５に開示されているように、従来の光ピックアップアクチュエータにおいては、ＡＣＴフレキシブルプリント配線基板が、直接、ダンパベースの支持部に取り付けられている。前述したように、支持部では接着剤を使用して複数本のサスペンションワイヤの一端を支持している。
【００１７】
そのため、複数本のサスペンションワイヤの一端を、ＡＣＴフレキシブルプリント配線基板に半田付けする際に、半田熱が支持部中の接着剤に伝わり、当該接着剤の強度を劣化させてしまう場合がある。その結果、高温環境や高湿度環境での光ピックアップアクチュエータにおける対物レンズの傾角にズレが生じてしまい、光ピックアップアクチュエータの信頼性を損なってしまう場合があった。
【００１８】
そこで、本発明の課題は、ダンパベースの支持部中の接着剤の強度の劣化を防止することができる、光ピックアップアクチュエータを提供することにある。
【課題を解決するための手段】
【００１９】
本発明によれば、対物レンズ（３１）を保持し、少なくともトラッキングコイル、フォーカシングコイルを取り付けた対物レンズホルダ（５１）と、該対物レンズホルダを複数本のサスペンションワイヤ（５２）を介して揺動可能に支持するダンパベース（５３）とを備えた光ピックアップアクチュエータ（５０）であって、前記ダンパベース（５３）は、前記複数本のサスペンションワイヤの一端を接着剤で支持する支持部（５３２）を含み、前記支持部側に、前記複数本のサスペンションワイヤの一端と電気的に接続されたＡＣＴフレキシブルプリント配線基板（５５）を有する、光ピックアップアクチュエータにおいて、前記ＡＣＴフレキシブルプリント配線基板（５５）と前記支持部（５３２）との間に間隙を設定する間隙設定手段（５４）を有することを特徴とする光ピックアップアクチュエータが得られる。
【００２０】
上記光ピックアップアクチュエータにおいて、前記間隙設定手段は、例えば、前記ＡＣＴフレキシブルプリント配線基板（５５）と前記支持部（５３２）との間に介在する補強板（５４）から構成される。前記補強板（５４）の板厚は、０．３ｍｍから０．７ｍｍの範囲にあることが好ましく、０．５ｍｍであることがより好ましい。
【００２１】
なお、上記括弧内の参照符号は、単に本発明の理解を容易にするために付したものであって、何ら本発明を限定するものではない。
【発明の効果】
【００２２】
ＡＣＴフレキシブルプリント配線基板と支持部との間に間隙を設定する間隙設定手段を設けたので、複数本のサスペンションワイヤの一端を、ＡＣＴフレキシブルプリント配線基板に半田付けする際に、半田熱が支持部中の接着剤に伝わり難くして、当該接着剤の強度が劣化するのを防止することができる。
【発明を実施するための最良の形態】
【００２３】
以下、図面を参照して本発明の実施の形態について詳細に説明する。
【００２４】
前述したように、光ディスクドライブにおいては、ＤＶＤやＣＤばかりでなくＨＤ−ＤＶＤ（High Definition ＤＶＤ）に対しても記録・再生可能にするために特殊な光ピックアップを搭載したものが開発されている。そのような特殊な光ピックアップは、ＤＶＤ用の中波長レーザビーム（波長約６５０ｎｍ）とＣＤ用の長波長レーザビーム（波長約７８０ｎｍ）とＨＤ−ＤＶＤ（ＨＤ）用の短波長レーザビーム（波長約４１０ｎｍ）との３種類のレーザビームを使い分けて記録・再生を行うものであり、「３波長対応光ピックアップ」と呼ばれている。
【００２５】
図１は本発明に係る３波長対応光ピックアップ１０の光学系のシステム構成図である。図示の３波長対応光ピックアップ１０は、レーザビームを出射するレーザ光源として１チップ型レーザダイオード１１と、青色レーザダイオード１２とを有する。
【００２６】
１チップ型レーザダイオード１１は、第１のレーザダイオード（図示せず）と第２のレーザダイオード（図示せず）とを１部品（１チップ）で構成したものである。第１のレーザダイオード（第１の発光点）と第２のレーザダイオード（第２の発光点）とは所定距離（例えば、１００μｍ）だけ離れている。第１のレーザダイオードは、第１の波長としてＣＤ用の波長約７８０ｎｍを持つ第１のレーザビームを出射するレーザダイオードであって、「ＣＤ−ＬＤ」と略称される。第２のレーザダイオードは、第２の波長としてＤＶＤ用の波長約６５０ｎｍを持つ第２のレーザビームを出射するレーザダイオードであって、「ＤＶＤ−ＬＤ」と略称される。青色レーザダイオード１２は、第３のレーザダイオードとも呼ばれ、第３の波長としてＨＤ−ＤＶＤ（ＨＤ）用の波長約４１０ｎｍを持つ第３のレーザビームを出射するレーザダイオードであって、「ＨＤ−ＬＤ」と略称される。
【００２７】
３波長対応光ピックアップ１０は、これら第１乃至第３のレーザビームのいずれか１つを光ディスク（図示せず）へ導くとともに、その反射光を光検出器３５（後述する）へ導く光学系とを備えている。そして、この光学系には、光ディスクに対向するように配置される対物レンズ３１が含まれている。レーザ光源１１、１２および光検出器３５は、光学ベース（後述する）の外壁に取り付けられ、対物レンズ３１を除く光学系は光学ベース内に取り付けられる。
【００２８】
一方、対物レンズ３１は、後述する対物レンズ駆動装置（光ピックアップアクチュエータ）に搭載される。後述するように、対物レンズ駆動装置は、対物レンズ３１を保持する対物レンズホルダを、複数本のサスペンションワイヤによってダンパベースで弾性支持する。
【００２９】
図示の３波長対応光ピックアップ１０は、光学系として、第１および第２の回折格子（グレーティング）１６および１７と、第１のビームスプリッタ２１と、第２のビームスプリッタ２３と、フロントモニタ２５と、立上げミラー（全反射ミラー）２７と、コリメータレンズ２９と、上記対物レンズ３１と、センサレンズ（検出レンズ）３３とを備えている。
【００３０】
第１の回折格子１６、第１のビームスプリッタ２１、第２のビームスプリッタ２３、立上げミラー２７、コリメータレンズ２９、対物レンズ３１、およびセンサレンズ３３の組み合わせは、第１または第２のレーザダイオードから出射された第１または第２のレーザビームを光ディスク（ＣＤまたはＤＶＤ）側へ導くと共に、この光ディスク側から反射された第１または第２の戻り光を透過して光検出器３５へ導く第１または第２の光学系として働く。同様に、第２の回折格子１７、第１のビームスプリッタ２１、第２のビームスプリッタ２３、立上げミラー２７、コリメータレンズ２９、対物レンズ３１、およびセンサレンズ３３の組み合わせは、青色レーザダイオード（第３のレーザダイオード）から出射された第３のレーザビームを光ディスク（ＨＤ―ＤＶＤ）側へ導くと共に、この光ディスク側から反射された第３の戻り光を透過して光検出器３５へ導く第３の光学系として働く。
【００３１】
ここで、青色レーザダイオード（第３のレーザダイオード）１２は、光軸中心に配置され、１チップ型レーザダイオード１１内の第２のレーザダイオードは、光軸中心に配置されている。従って、１チップ型レーザダイオード１１内の第１のレーザダイオードは、光軸からずれた状態で配置されている。そこで、図示の光検出器３５は、ＣＤからの第１の戻り光を光軸からずれたままで受光するように構成されている。
【００３２】
図２に図１に示した３波長対応光ピックアップに使用されるフォトディテクタ３５の構成を示す。フォトディテクタ３５は、第１の戻り光を受光するための第１の受光部３５−１と、第２または第３の戻り光を受光するための第２の受光部３５−２とを有する。第１の受光部３５−１は、中央の光束（メインビーム）を受光するための４分割フォトダイオードａ、ｂ、ｃ、ｄと、両側の２本の光束（サブビーム）を受光するための４つのフォトダイオードｅ、ｆ、ｇ、ｈとから構成される。第２の受光部３５−２は、中央の光束（メインビーム）を受光するための４分割フォトダイオードＡ、Ｂ、Ｃ、Ｄと、一方のサブビーム（先行サブビーム）を受光するための４つのフォトダイオードＥ１、Ｆ１、Ｇ１、Ｈ１と、他方のサブビーム（後行サブビーム）を受光するための４つのフォトダイオードＥ２、Ｆ２、Ｇ２、Ｈ２とから構成されている。
【００３３】
次に、図１に示した３波長対応光ピックアップの動作について説明する。この技術分野において周知のように、３波長対応光ビップアップは、書込みモードと再生モードとのいずれか一方のモードで動作するが、ここでは、再生モードの場合の動作について説明する。
【００３４】
最初に、光ディスクとしてＣＤを使用した場合の動作について説明する。この場合、１チップ型レーザダイオード１１内の第１のレーザダイオード（ＣＤ−ＬＤ）のみが動作状態に置かれ、１チップ型レーザダイオード１１内の第２のレーザダイオード（ＤＶＤ−ＬＤ）および青色レーザダイオード（第３のレーザダイオード）１２（ＨＤ−ＬＤ）は非動作状態に置かれる。
【００３５】
第１のレーザダイオード（ＣＤ−ＬＤ）から出射された第１のレーザビームは、第１の回折格子１６を通り、ここでトラッキング制御、フォーカス制御、およびチルティング制御を行うために３本のレーザビームに分離される。その後、第１のビームスプリッタ２１を透過し、第２のビームスプリッタ２３に入射する。この入射光の内、第２のビームスプリッタ２３で一部が透過して、その透過光はフロントモニタ２５で受光される。とにかく、フロントモニタ２５は、第２のビームスプリッタ２３を透過した第１のレーザビームの発光量をモニタする。一方、上記入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＣＤ）の記録面に照射される（集光される）。
【００３６】
この光ディスク（ＣＤ）の記録面からの反射光（第１の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５の第１の受光部３５−１（図２）に集光する（で受光される）。
【００３７】
次に、光ディスクとしてＤＶＤを使用した場合の動作について説明する。この場合、１チップ型レーザダイオード１１内の第２のレーザダイオード（ＤＶＤ−ＬＤ）のみが動作状態に置かれ、１チップ型レーザダイオード１１内の第１のレーザダイオード（ＣＤ−ＬＤ）および青色レーザダイオード（第３のレーザダイオード）１２（ＨＤ−ＬＤ）は非動作状態に置かれる。
【００３８】
第２のレーザダイオード（ＤＶＤ−ＬＤ）から出射された第２のレーザビームは、第１の回折格子１６を通り、その後、第１のビームスプリッタ２１を透過し、第２のビームスプリッタ２３に入射する。この入射光の内、第２のビームスプリッタ２３で一部が透過して、その透過光はフロントモニタ２５で受光される。とにかく、フロントモニタ２５は、第２のビームスプリッタ２３を透過した第２のレーザビームの発光量をモニタする。一方、上記入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＤＶＤ）の記録面に照射される（集光される）。
【００３９】
この光ディスク（ＤＶＤ）の記録面からの反射光（第２の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５の第２の受光部３５−２（図２）に集光する（で受光される）。
【００４０】
最後に、光ディスクとしてＨＤ−ＤＶＤを使用した場合の動作について説明する。この場合、青色レーザダイオード（第３のレーザダイオード）１２（ＨＤ−ＬＤ）のみが動作状態に置かれ、１チップ型レーザダイオード１１内の第１のレーザダイオード（ＣＤ−ＬＤ）および第２のレーザダイオード（ＤＶＤ−ＬＤ）非動作状態に置かれる。
【００４１】
青色レーザダイオード（第３のレーザダイオード）１２（ＨＤ−ＬＤ）から出射された第３のレーザビームは、第２の回折格子１７を通り、ここでトラッキング制御、フォーカス制御、およびチルティング制御を行うために３本のレーザビームに分離される。その後、これら３本のレーザビームは第３のビームスプリッタ２１で反射され、第２のビームスプリッタ２３に入射する。この入射光の内、第２のビームスプリッタ２３で一部が透過して、その透過光はフロントモニタ２５で受光される。とにかく、フロントモニタ２５は、第２のビームスプリッタ２３を透過した第３のレーザビームの発光量をモニタする。一方、上記入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＨＤ−ＤＶＤ）の記録面に照射される（集光される）。
【００４２】
この光ディスク（ＨＤ−ＤＶＤ）の記録面からの反射光（第３の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５の第２の受光部３５−２（図２）に集光する（で受光される）。
【００４３】
図３および図４を参照して、３波長対応光ピックアップ１０について更に説明する。以下では、３波長対応光ピックアップ１０を単に光ピックアップと呼ぶことにする。
【００４４】
光ピックアップ１０は、光学ベース４０を有する。この光学ベース４０上には、ＯＰＵ回路基板７１を介して対物レンズ駆動装置５０が搭載されている。光学ベース４０は、光ディスクドライブに導入された光ディスクの半径方向（トラッキング方向Ｔｒ）に移動可能にガイドバー（図示せず）に取り付けられている。換言すれば、光ピックアップ１０は、ビップアップ駆動部（図示せず）によって所定のディスク半径方向（トラッキング方向Ｔｒ）にスレッド移動させられる。ビップアップ駆動部は、上記ガイドバーとして、光ピックアップ１０をその両側で所定のディスク半径方向（トラッキング方向Ｔｒ）に対してスレッド移動可能に支持する主軸（図示せず）および副軸（図示せず）を備えている。主軸および副軸の両方とも、ディスク半径方向（トラッキング方向Ｔｒ）に対して実質的に平行となるように延在して配置されている。すなわち、主軸と副軸とは、互いに平行に配置されている。
【００４５】
光ピックアップ１０は、主軸と係合する係合部（係合孔）６１と、副軸によって摺動可能に支持される、断面コ字型の摺接部６２とを有する。図示の例では、摺接部６２の上部摺接部分にキャップ６３が嵌めこまれており、このキャップ６３と摺接部６２の下部摺接部分との間に副軸が挟まれる。
【００４６】
対物レンズ駆動装置５０は、略直方体の形状をしている対物レンズホルダ５１を備える。対物レンズホルダ５１は、中央に対物レンズ３１を装着するための貫通孔によるレンズ装着部を有する。図示の対物レンズ駆動装置５０は、対称構造をしており、対物レンズ３１を中心としてコイル（図示せず）やマグネットを含む磁気回路（図示せず）が対称に配置されている。対称構造の対物レンズ駆動装置５０において、対物レンズホルダ５１に１つのフォーカシングコイル（図示せず）を巻回し、対物レンズホルダ５１の側面にトラッキングコイル（図示せず）及びチルティングコイル（図示せず）を貼り付け、これらのコイルを磁気回路のギャップ内に部分的に位置させている。このような構成において、各コイルに流れる電流を制御することで、対称構造の対物レンズ駆動装置５０は、対物レンズ３１の位置及び傾きを微調整することができる。
【００４７】
詳述すると、対物レンズ駆動装置５０は、対物レンズ３１を保持する対物レンズホルダ５１を、６本のサスペンションワイヤ５２によってダンパベース５３で弾性支持している。換言すれば、対物レンズホルダ５１は、タンジェンシャル方向Ｔｇに延在する６本のサスペンションワイヤ５２によりダンパベース５３で支持される。これら６本のサスペンションワイヤ５２は、上記の各種コイルと外部回路、つまり対物レンズ駆動装置５０のための駆動回路とを電気的に接続するための配線としても利用される。対物レンズホルダ５１には、前述したように、チルティングコイル、フォーカシングコイル及びトラッキングコイルが巻回されている。これらコイルに流す電流を適切に制御することにより、対物レンズホルダ５１は、ヨーク及びマグネットから成る磁気回路が作り出す磁界との関係に基づき、トラッキング方向Ｔｒに傾動し（タンジェンシャル方向Ｔｇに平行な軸を回転軸として回動し）、またトラッキング方向Ｔｒに沿って移動し、あるいはフォーカシング方向Ｆに沿って移動する。
【００４８】
光学ベース４０の上面にはＯＰＵ回路基板７１が搭載されている。このＯＰＵ用回路基板７１上で、隙間を空けて、対物レンズ駆動装置５０はそれらの四隅でＵＶ接着剤で光学ベース４０に固着されている。
【００４９】
光検出器３５はＰＤ回路基板７３上に搭載され、ＰＤホルダ７５によって保持された状態で、ＵＶ接着剤９１によって光学ベース４０の外側壁に固着されている。
【００５０】
図２に示したように、光ディスクからの反射光（戻り光）を受光する光検出器３５は、多数のフォトダイオードから構成されている。そして、これら多数のフォトタイオードで受光された受光信号は、光検出器３５内の処理回路（図示せず）で処理された後、ＰＤフレキシブルプリント基板(ＦＰＣ)７２を介してＯＰＵ回路基板７１へ送出される。
【００５１】
図５乃至図９を参照して、本発明の一実施の形態に係る光ピックアップアクチュエータ５０について説明する。図５は光ピックアップアクチュエータ５０の斜視図である。図６は光ピックアップアクチュエータ５０の部分拡大斜視図である。図７はダンパベース５３の斜視図である。図８はＡＣＴフレキシブルプリント配線基板５５の平面図である。図９は光ピックアップアクチュエータ５０の分解斜視図である。
【００５２】
図７に示されるように、ダンパベース５３は、タンジェンシャル方向Ｔｇの後方に後端壁部５３１を有し、この後端壁部５３１のトラッキング方向Ｔｒの両端には６本のサスペンションワイヤ５２の一端を支持するための支持部５３２が形成されている。各サスペンションワイヤ５２の一端は支持部５３２を貫通して突き抜け、支持部５３２に設けられた凹部５３２ａで接着剤（図示せず）によって接着固定される。ダンパベース５３は、タンジェンシャル方向Ｔｇの前方に前端壁部５３３を有し、この前端壁部５３３のトラッキング方向Ｔｒの両端にダンバ部５３４が形成されている。換言すれば、ダンパ部５３４は、支持部５３２からタンジェンシャル方向Ｔｇに離間した対物レンズホルダ５１側に設けられている。ダンパ部５３４は、フォーカシング方向Ｆに沿って貫通孔（溝）５３４ａを持ち、これらの貫通孔（溝）５３４ａにはシリコーンゲル等のダンピング材（図示せず）が充填されている。
【００５３】
ダンパベース５３の後端壁部５３１にはネジ（図示せず）の頭部を収容可能な凹部５３ａが形成され、前端壁部５３３には当該ネジのネジ部を通すための貫通孔（図示せず）が形成されている。上記貫通孔に対応する磁気回路を構成するヨーク（図示せず）には上記ネジを螺合するためのネジ穴（図示せず）が形成されている。
【００５４】
図５、図６および図９に示されるように、後端壁部５３１の後面５３１ａには、補強板５４を介してＡＣＴフレキシブルプリント配線基板５５が取り付けられている。図示の例において、補強板５４の板厚は０．５ｍｍである。補強板５４の板厚は、０．３ｍｍから０．７ｍｍの範囲にあることが望ましい。補強板５４のトラッキング方向Ｔｒの幅は、後端壁部５３１の両端に形成されている支持部５３２の凹部５３２ａ間の離間距離よりも短くなっている。その結果、支持部５３２とＡＣＴフレキシブルプリント配線基板５５との間には、補強板５４の板厚と実質的に等しい大きさの隙間が設定される。とにかく、補強板５４は、ＡＣＴフレキシブルプリント配線基板５５と支持部５３２との間に間隙を設定する間隙設定手段として働く。
【００５５】
図８に示されるように、ＡＣＴフレキシブルプリント配線基板５５は、６本のサスペンションワイヤ５２の一端を貫通する貫通孔５５１を持つ。したがって、６本のサスペンションワイヤ５２の一端は、これら貫通孔５５１を貫通してＡＣＴフレキシブルプリント配線基板５５と半田（図示せず）によって電気的に接続される。
【００５６】
このように本実施の形態では、ダンパベース５３とＡＣＴフレキシブルプリント配線基板５５との間に補強板５４を追加して、支持部５３２とＡＣＴフレキシブルプリント配線基板５５との間に隙間を確保している。これによって、６本のサスペンションワイヤ５２の一端をＡＣＴフレキシブルプリント配線基板５５に半田付けする際に、その半田熱が、支持部５３２の凹部５３１ａに添付された接着剤に伝わり難くしている。この結果、当該接着剤の強度劣化を防ぐことができる。これにより、光ピックアップアクチュエータ５０における対物レンズ３１の傾角変化のズレを防止することができる。
【００５７】
なお、図５に示されるように、６本のサスペンションワイヤ５２の他端は、対物レンズホルダ５１のタンジェンシャル方向Ｔｇに平行な２つの側壁に形成された支持部によって支持されている。
【００５８】
また、図４に示されるように、光ピックアップ１０は、１チップ型レーザダイオード１１と青色レーザダイオード１２とを覆うサイドカバー１１０を備えている。このサイドカバー１１０の一端はネジ（図示せず）で光学ベース４０に固定され、サイドカバー１１０の他端はＵＶ接着剤１１４で光学ベース４０に固着されている。尚、サイドカバー１１０と光学ベース４０とが互いに近接する隙間には、図示しないシリコーン樹脂が付けられている。このサイドカバー１１０は、本光ピックアップ１０を取り扱う際に、人（製造者）が１チップ型レーザダイオード１１や青色レーザダイオード１２のＬＤ端子に直接触れるのを防ぐためのものである。これにより、１チップ型レーザダイオード１１や青色レーザダイオード１２が静電気により破壊するのを防止している。尚、このサイドカバー１１０は、レーザダイオードを保護するだけでなく、不要輻射ノイズが外部へ放射するのを軽減する役目をも担っている。
【００５９】
以上、本発明ついて一実施の形態に即して説明してきたが、本発明は上記実施の形態に限定されるものではない。例えば、上述した実施の形態では、青色レーザビーム対応の光ディスクとしてＨＤ−ＤＶＤを使用した場合を例に挙げて説明しているが、ＨＤ−ＤＶＤの代わりにＢｌｕ−ｒａｙディスクを用いても良いのは勿論である。また、上述した実施の形態では、光ピックアップとして３波長対応光ピックアップを例に挙げて説明しているが、本発明はこれに限定されず、その他各種の光ピックアップにも適用可能なのはいうまでもない。さらに、上述した実施の形態では、間隙設定手段として、補強板を用いて、支持部とＡＣＴフレキシブルプリント配線基板との間に隙間を確保する場合を例に挙げて説明したが、本発明はこれに限定されず、種々の間隙設定手段を用いても良いのは勿論である。例えば、補強板の代わりに基板を用いて、支持部とＡＣＴフレキシブルプリント配線基板との間に隙間を確保しても良いし、或いは、ダンパベースとして特殊な形状を採用することによって、支持部とＡＣＴフレキシブルプリント配線基板との間に隙間を確保しても良い。
【図面の簡単な説明】
【００６０】
【図１】本発明の一実施の形態に係る３波長対応光ピックアップの光学系のシステム構成図（光路図）である。
【図２】図１に図示した３波長対応光ピックアップに使用される光検出器の構成を示す概略平面図である。
【図３】図１に図示した３波長対応光ピックアップの斜視図である。
【図４】図１の図示した３波長対応光ピックアップの斜視図である。
【図５】本発明の一実施の形態に係る光ピックアップアクチュエータの斜視図である。
【図６】図５に示した光ピックアップアクチュエータの部分拡大斜視図である。
【図７】図５に示した光ピックアップアクチュエータに用いられるダンパベースの斜視図である。
【図８】図５に示した光ピックアップアクチュエータに用いられるＡＣＴフレキシブルプリント配線基板の平面図である。
【図９】図５に示した光ピックアップアクチュエータの分解斜視図である。
【符号の説明】
【００６１】
１０      ３波長対応光ピックアップ
１１      １チップ型レーザダイオード
１２      青色レーザダイオード(第３のレーザダイオード)
１６      第１の回折格子（グレーティング）
１７      第２の回折格子（グレーティング）
２１      第１のビームスプリッタ
２３      第２のビームスプリッタ
２５      フロントモニタ
２７      立上げミラー（全反射ミラー）
２９      コリメータレンズ
３１      対物レンズ
３３      センサレンズ
３５      光検出器
３５−１    第１の受光部
３５−２    第２の受光部
４０      光学ベース
５０      光ピックアップアクチュエータ（対物レンズ駆動装置）
５１      対物レンズホルダ
５２      サスペンションワイヤ
５３      ダンパベース
５３ａ    凹部
５３１    後端壁部
５３１ａ    後面
５３２    支持部
５３２ａ    凹部
５３３    前端壁部
５３４    ダンパ部
５３４ａ    貫通孔（溝）
５４      補強板
５５      ＡＣＴフレキシブルプリント配線基板
５５１    貫通孔
【図１】
2008090920.tif 000003
【図２】
2008090920.tif 000004
【図３】
2008090920.tif 000005
【図４】
2008090920.tif 000006
【図５】
2008090920.tif 000007
【図６】
2008090920.tif 000008
【図７】
2008090920.tif 000009
【図８】
2008090920.tif 000010
【図９】
2008090920.tif 000011